(57)【要約】【課題】  容易にユーザ登録及び動画のアップ・配信ができる動画配信システムを提供する。【解決手段】  ユーザは携帯電話３０にて２次元コードスタンプ１０の印影２０を撮像し、ｗｅｂアドレスとユーザＩＤを得る。得られたｗｅｂアドレスによりアクセスデータ管理部５２に接続してユーザＩＤを送信すると、ユーザデータ管理部５３が携帯電話３０から送信されたユーザ情報をユーザＩＤと関連づけてユーザデータベース５１に保存し、マルチメディアデータ受信部５５が携帯電話３０から送信されたマルチメディアデータを受信し、マルチメディアデータ管理部５７がユーザＩＤと関連づけてユーザデータベース５１に保存する。その後、いずれかの携帯電話３０により２次元コードスタンプ１０の印影２０を撮像すると、マルチメディアデータ配信部５８がユーザＩＤで特定されるマルチメディアデータをユーザデータベース５１から読み出し、携帯電話３０に配信する。【選択図】      図１
2007150600.tif 000002
【特許請求の範囲】
【請求項１】
携帯端末からネットワークを介して送信されたユーザＩＤを識別し、ユーザＩＤに関連づけられてデータベースに保存されている動画データをネットワークを介して携帯端末に配信することのできる動画配信システムであって、
撮像手段を備えた携帯端末により、少なくともｗｅｂアドレス及び各スタンプごとのユーザＩＤをエンコードした２次元コードを印面とする２次元コードスタンプの印影を撮像し、デコードすることにより得られるｗｅｂアドレスが割り当てられているとともに、携帯端末から２次元コードから得られたユーザＩＤがネットワークを介して送信されてきたときに、該ユーザＩＤに関連づけられたユーザ情報がデータベースに保存されているかどうかを確認するアクセスデータ管理手段と、
ユーザＩＤに関連づけられたユーザ情報がデータベースに登録されていない場合に、携帯端末からネットワークを介して入力されたユーザ情報をユーザＩＤと関連づけてデータベースに保存するユーザデータ管理手段と、
ユーザデータ管理手段がユーザ情報をユーザＩＤと関連づけてデータベースに保存した後、携帯端末からネットワークを介して送信された動画データを受信して、ユーザＩＤと関連づけてデータベースに保存するデータ受信手段と、
ユーザ情報及び動画データがデータベースに保存されている場合に、携帯端末からの要求に応じて、２次元コードから得られたユーザＩＤにより特定される動画データをデータベースから読み出して、要求のあった携帯端末にネットワークを介して配信するデータ配信手段とを含むことを特徴とする２次元コードスタンプを介した動画配信システム。
【請求項２】
動画データは、電子メールに添付されて携帯端末からデータ受信手段に送信される請求項１に記載の２次元コードスタンプを介した動画配信システム。
【請求項３】
データ受信手段は、
ユーザデータ管理手段がユーザ情報をユーザＩＤと関連づけてデータベースに保存した後、電子メールを受信したときに、動画データが添付されているかどうかを判別する動画データ受信部と、
電子メールに動画データが添付されているときに、動画データをユーザＩＤと関連づけてデータベースに保存する動画データ管理部とからなる請求項２に記載の２次元コードスタンプを介した動画配信システム。
【請求項４】
データ配信手段は、
ユーザ情報及び動画データがデータベースに保存されている場合に、配信を要求している携帯端末が動画再生対応かどうかを判別し、動画再生対応の場合に携帯端末に適合する動画データのフォーマット、再生可能な配信方法等、配信しようとする動画データを再生可能な条件を判別する携帯端末判別部と、
ユーザＩＤにより特定される動画データをデータベースから読み出して、必要ならば携帯端末判別部の判別した条件に適合するように動画データを加工し、及び／または適当なデータを動画データに付加する動画データ変換部と、
必要に応じて動画データ変換部により変換され、または変換されない動画データを、要求のあった携帯端末にネットワークを介して配信する動画データ配信部とからなる請求項１乃至３のいずれかに記載の２次元コードスタンプを介した動画配信システム。
【発明の詳細な説明】
【技術分野】
【０００１】
本発明は動画配信システムに関し、特に動画データを配信するに当たってユーザ登録及び動画のアップロード・ダウンロードを容易に行うことのできる２次元コードスタンプを介した動画配信システムする。
【背景技術】
【０００２】
携帯端末、特に携帯電話は素子・液晶画面・ＣＣＤカメラなど構成部品の高性能化、通信速度の向上などに伴い、かなり容量の大きなマルチメディアデータを生成・再生・送受信して利用することが普通に行われるようになってきている。例えば、動画データをｗｅｂサーバに保存しておき、携帯電話にダウンロードさせるサービスが実施されている。一方で、携帯電話とユーザとの間のマンマシンインターフェース技術はさほど進歩しておらず、データ入力や情報の入手などの面で立ち後れているという実情がある。例えば、ユーザが動画データを公開するホームページを開設するために携帯電話からインターネットを通じてオンライン登録手続をする際には、住所・氏名やプロバイダへの料金支払い方法等を携帯電話のテンキーからいちいち入力していかなければならず、これはテンキーの操作に習熟していない者や手の不自由な者には非常に面倒な作業である。動画データをダウンロードする際にｗｅｂサーバのURLを入力する際も同様であり、その他のリンクを探すなどの手段には時間と手間を要する。ブックマーク登録しておいたとしても、携帯電話の液晶画面はサイズが小さく操作性や視認性が悪いために探すのに時間がかかり、アクセスしたいURLが多数のURLの中に埋没してしまって、結局は放置されたままになり、結果としてホームページが利用されないことが多い。
【０００３】
特開２００３-２３３５４６公開公報には、携帯電話により撮像された２次元コードに含まれるｗｅｂアドレスが取得されてｗｅｂページへのアクセスが行われる構成が開示されている。特開２００３-３３０８３１公開公報には、携帯電話がバーコードデータから抽出したURL情報に従ってサイト接続を行うと、動画によるコンテンツデータが配信される構成が開示されている。
【特許文献１】特開２００３−２３３５４６公開公報
【特許文献２】特開２００３−３３０８３１公開公報
【発明の開示】
【発明が解決しようとする課題】
【０００４】
よって本発明の目的は、動画データを配信するに当たってユーザ登録及び動画のアップロード・ダウンロードを容易に行うことのできる動画配信システムを提供することにある。
【課題を解決するための手段】
【０００５】
上記目的を達成するために本発明は、携帯端末からネットワークを介して送信されたユーザＩＤを識別し、ユーザＩＤに関連づけられてデータベースに保存されている動画データをネットワークを介して携帯端末に配信することのできる動画配信システムであって、撮像手段を備えた携帯端末により、少なくともｗｅｂアドレス及び各スタンプごとのユーザＩＤをエンコードした２次元コードを印面とする２次元コードスタンプの印影を撮像し、デコードすることにより得られるｗｅｂアドレスが割り当てられているとともに、携帯端末から２次元コードから得られたユーザＩＤがネットワークを介して送信されてきたときに、該ユーザＩＤに関連づけられたユーザ情報がデータベースに保存されているかどうかを確認するアクセスデータ管理手段と、ユーザＩＤに関連づけられたユーザ情報がデータベースに登録されていない場合に、携帯端末からネットワークを介して入力されたユーザ情報をユーザＩＤと関連づけてデータベースに保存するユーザデータ管理手段と、ユーザデータ管理手段がユーザ情報をユーザＩＤと関連づけてデータベースに保存した後、携帯端末からネットワークを介して送信された動画データを受信して、ユーザＩＤと関連づけてデータベースに保存するデータ受信手段と、ユーザ情報及び動画データがデータベースに保存されている場合に、携帯端末からの要求に応じて、２次元コードから得られたｗｅｂアドレス及びユーザＩＤにより特定される動画データをデータベースから読み出して、要求のあった携帯端末にネットワークを介して配信するデータ配信手段とを含むように２次元コードスタンプを介した動画配信システムを構成した。
【０００６】
本発明に係る２次元コードスタンプを介した動画配信システムにおいては、まず、アクセスデータ管理手段に割り当てられたｗｅｂアドレスと、それぞれのスタンプごとのユーザＩＤとが少なくともエンコードされた２次元コードを印面とする２次元コードスタンプを入手したユーザが、適当な紙面上などにスタンプを押して印影を表示する。ユーザは携帯端末に備えられた撮像手段を用いて２次元コードスタンプの印影を撮像し、デコードしてｗｅｂアドレスとユーザＩＤを得ることができる。携帯電話のブラウザを起動して得られたｗｅｂアドレスが割り当てられたアクセスデータ管理手段にアクセスし、ユーザＩＤを送信すると、アクセスデータ管理手段は送信されてきたユーザＩＤに関連づけられたユーザ情報がデータベースに保存されているかどうかを確認する。ユーザ情報とは、ユーザを特定するための情報であって、例えばハンドルネーム及びパスワードである。ユーザ情報が登録されていない場合、すなわち２次元コードスタンプを入手したユーザが初めて本発明に係る動画配信システムを利用する場合、ユーザデータ管理手段は携帯端末からネットワークを介して入力されたユーザ情報をユーザＩＤと関連づけてデータベースに保存する。ユーザ情報の登録が完了すると、データ受信手段が、携帯端末からネットワークを介して送信された動画データを受信して、ユーザＩＤと関連づけてデータベースに保存する。これにより動画配信が可能な状態となる。ユーザ情報及び動画データがデータベースに保存された後は、ユーザの携帯端末に限らず、いずれかの携帯端末により２次元コードスタンプの印影が撮像されると、データ配信手段はユーザＩＤにより特定される動画データをデータベースから読み出して、要求のあった携帯端末にネットワークを介して配信する。
【０００７】
以上のように、本発明に係る２次元コードスタンプを介した動画配信システムによれば、ユーザは予め動画配信システムのｗｅｂアドレス、及びデータベースに登録されたユーザＩＤが記録された印影の２次元コードスタンプを入手して動画配信システムにアクセスし、動画データを登録することができる。ユーザは２次元コードスタンプをメモ帳や名刺やノートなどさまざまな場所に押印することができ、ユーザ及びその知人などは印影を撮像するのみでユーザのアップした動画データをダウンロードすることができる。
【０００８】
なお本明細書において動画データとは、動画のみならず音声やテキストを含むマルチメディアデータをも含むものとする。音声は携帯端末に備えられたマイクロフォンにより採取され、テキストは携帯端末にインストールされた編集ソフトにより作成可能であることは言うまでもない。また２次元コードとは、例えばＱＲコードのように、縦と横の両方向に意味を持たせてある符号を意味し、ＱＲコード以外にＰＤＦ４１７、Ｄａｔａ  Ｍａｔｒｉｘ、Ａｚｔｅｃ  Ｃｏｄｅ等の各種の規格のものを含む。但し本発明においては「バーコード」のような１次元コードをも含むものとする。携帯端末とは、ブラウザ機能を有する端末であって、携帯電話、ＰＨＳ、ＰＤＡ、ノートパソコン等を含む。
【０００９】
また、本発明に係る２次元コードスタンプを介した動画配信システムにおいて、動画データは、電子メールに添付されて携帯端末からデータ受信手段に送信されるように構成しても良い。その場合、データ受信手段は、ユーザデータ管理手段がユーザ情報をユーザＩＤと関連づけてデータベースに保存した後、電子メールを受信したときに、動画データが添付されているかどうかを判別する動画データ受信部と、電子メールに動画データが添付されているときに、動画データをユーザＩＤと関連づけてデータベースに保存する動画データ管理部とからなるように動画配信システムを構成することができる。
【００１０】
さらに、本発明に係る２次元コードスタンプを介した動画配信システムにおいて、データ配信手段は、ユーザ情報及び動画データがデータベースに保存されている場合に、配信を要求している携帯端末が動画再生対応かどうかを判別し、動画再生対応の場合に携帯端末に適合する動画データのフォーマット、再生可能な配信方法等、配信しようとする動画データを再生可能な条件を判別する携帯端末判別部と、ユーザＩＤにより特定される動画データをデータベースから読み出して、必要ならば携帯端末判別部の判別した条件に適合するように動画データを加工し、及び／または適当なデータを動画データに付加する動画データ変換部と、必要に応じて動画データ変換部により変換され、または変換されない動画データを、要求のあった携帯端末にネットワークを介して配信する動画データ配信部とからなるように構成することができる。
【発明の効果】
【００１１】
以上のように、本発明に係る２次元コードスタンプを介した動画配信システムによると、ユーザは２次元コードスタンプを入手して押印し、携帯端末により印影を撮像して動画配信システムにアクセスすれば、動画配信の準備を極めて容易に行うことができる。サービスに対する対価が必要であれば、２次元コードスタンプを有料で頒布すればよいので、最も煩雑で個人情報漏洩の可能性も高い支払い方法についての手続を省略することができる。配信を受けようとする場合には、ユーザがさまざまな箇所に押印しさえすれば、知人や不特定の他人が２次元コードスタンプの印影を撮像して手軽に配信を受けることができ、広範囲の人からの頻繁なアクセスが期待できる。
【発明を実施するための最良の形態】
【００１２】
以下、図面を参照しつつ本発明に係る２次元コードスタンプを介した動画配信システムの最良の形態について詳細に説明する。なお、以下の説明は発明をより深く理解するためのものであって、特許請求の範囲を限定するためのものではない。
【００１３】
図１は、本発明に係る２次元コードスタンプを介した動画配信システムの一つの実施の形態であるマルチメディアデータサーバシステムを示す図、図２は図１のマルチメディアデータサーバシステムにおける登録手順を説明するためのフローチャート、図３、図４は図１のマルチメディアデータサーバシステムにおけるユーザによる動画データ更新作業の手順を説明するためのフローチャート、図１のマルチメディアデータサーバシステムにおける動画データ閲覧方法を説明するためのフローチャートである。
【００１４】
図１に示すマルチメディアデータサーバシステム５０は、後述の各２次元コードスタンプ１０にそれぞれ対応するユーザＩＤ、ユーザ情報及びマルチメディアデータを保存・管理する機能を備えており、ユーザデータベース５１、アクセスデータ管理部５２、ユーザデータ管理部５３、携帯端末判別部５４、マルチメディアデータ受信部５５、マルチメディアデータ変換部５６、マルチメディアデータ管理部５７及びマルチメディアデータ配信部５８を含んでなる。
【００１５】
ユーザデータベース５１は、各２次元コードスタンプ１０に記録されているユーザＩＤと、ユーザ情報と、マルチメディアデータとを相互に関連づけて保存する。ユーザ登録前には、各２次元コードスタンプ１０ごとのユーザＩＤのみが予め登録されている。
【００１６】
アクセスデータ管理部５２は、２次元コードスタンプ１０に記録されたｗｅｂアドレスが割り当てられており、各携帯電話３０により２次元コードスタンプ印影２０を撮像してアクセスすると、各携帯電話３０が２次元コードスタンプ印影２０を撮像してデコードした読取データを送信させ、読取データに含まれるユーザＩＤを抽出し、そのユーザＩＤに関連づけられたユーザ情報がデータベースに保存されているかどうかを確認する。ユーザ情報はパスワード、ハンドルネーム及びメールアドレスである。
【００１７】
ユーザ情報が登録されていない場合、すなわち２次元コードスタンプを入手したユーザが初めてマルチメディアデータサーバシステム５０を利用する場合、ユーザデータ管理部５３は携帯電話３０からインターネット４０を介して入力されたユーザ情報をユーザＩＤと関連づけてデータベースに保存する。ユーザ情報は、携帯電話３０の液晶画面に表示されユーザ情報の登録画面上で携帯電話３０を操作することにより入力される。また、既にユーザ情報が登録されている場合にはトップ画面を表示し、トップ画面を起点にユーザがマルチメディアデータを更新したり、ユーザに限らずアクセスした者がマルチメディアデータをダウンロードすることができる。すなわちマルチメディアデータの更新をトップ画面で選択すると、ユーザ情報として登録したパスワードを入力すれば更新のためのムービー送信画面が表示される。トップ画面でムービー配信を選択すると、ユーザＩＤに対応するマルチメディアデータが配信される。
【００１８】
マルチメディアデータ受信部５５とマルチメディアデータ管理部５７はデータ受信手段に相当する。マルチメディアデータ受信部５５は、ユーザ情報入力画面上でユーザ情報の入力が完了し、あるいはパスワード照合が成功すると、携帯電話３０からマルチメディアデータの添付された電子メールの送信を受け付ける状態となる。すなわちマルチメディアデータ受信部５５は携帯電話３０のメールクライアントを起動させるとともに、ムービー送信画面を液晶画面に表示させる。ユーザがムービー送信画面に表示される指示に従って操作を行うことにより、マルチメディアデータ受信部５５を宛先とする電子メールにマルチメディアデータが添付されて送信される。次にマルチメディアデータが添付されているかどうかを判別する。
【００１９】
マルチメディアデータ管理部５７は、電子メールにマルチメディアデータが添付されていた場合、受信したマルチメディアとユーザＩＤとを関連づけてユーザデータベース５１に保存する。
【００２０】
携帯端末判別部５４、マルチメディアデータ変換部５６及びマルチメディアデータ配信部５８はデータ配信手段に相当する。携帯電話３０が送信してきたユーザＩＤに対応するユーザ情報及びマルチメディアデータがデータベースに保存されている場合には、トップ画面からムービー配信を選択することができる。携帯端末判別部５４は、アクセスしている携帯電話３０がマルチメディア再生対応かどうかを判別し、マルチメディア再生対応であれば、適合するマルチメディアデータのフォーマット、再生可能な配信方法などの再生条件を判別する。具体的には、携帯端末判別部５４は、携帯電話３０からアクセスされた際に取得可能なヘッダ情報から、ユーザエージェントと携帯電話各社が独自に拡張を行ったヘッダ情報を取得し、各条件を判別する。各種の携帯電話３０についての条件は、各携帯電話会社から発表されている端末情報を元に解析され、携帯端末判別部５４により利用可能なデータとして登録されている。
【００２１】
マルチメディアデータ変換部５６は、ユーザＩＤに対応するマルチメディアデータをユーザデータベース５１から読み出して、携帯端末判別部５４が判別したマルチメディアデータ対応の携帯電話３０の再生可能な条件に適合するように変換する。本実施の形態においては、携帯電話３０から送信されたマルチメディアデータに含まれる動画ファイルのビデオフォーマットが３ｇｐｐだった場合に、３ｇｐｐ２へ変換する。変換した動画ファイルは、ユーザＩＤと関連づけられてユーザデータベース５１に保存される。ユーザが保存したままの形式で再生可能な場合には、必要がないので変換は行われない。
【００２２】
マルチメディアデータ配信部５８は、携帯電話３０からの要求に応じて、ユーザＩＤに関連づけられたマルチメディアデータ（必要ならば動画ファイルのビデオフォーマットを変換済）にリンクするために、携帯電話３０で取得可能なＨＴＭＬコードを自動生成して携帯電話３０に送信することにより、マルチメディアデータの配信を行う。
【００２３】
２次元コードスタンプ１０は、マルチメディアデータサーバシステム５０に接続するために必要なｗｅｂアドレス及びそれぞれのスタンプごとに異なるユーザＩＤを記録した２次元コードスタンプ印影２０を印影とするスタンプであり、携帯電話３０に備えられたＣＣＤカメラ(図示していない)により撮像してデコードすることによって、容易に個人用ｗｅｂサイトへのアクセスしてマルチメディアデータサーバシステム５０を利用することができる。ここでは２次元コードはＱＲコードである。２次元コードスタンプ１０は、典型的には携帯電話販売店や電気機械器具販売店などでマルチメディアデータサーバシステム５０の一定期間内の使用料を含めた額の対価で販売され、あるいは販促品や懸賞の賞品としてユーザに頒布される。
【００２４】
図２、図３、図４は、図１のマルチメディアデータサーバシステム５０の実際の動作を示す図である。
【００２５】
図２は、２次元コードスタンプ１０を購入したユーザが、初めて２次元コードスタンプ１０に対応したｗｅｂサイトにアクセスした場合の動作を示す。購入などの手段により２次元コードスタンプ１０を入手したユーザは、２次元コードスタンプ１０を任意の場所にスタンプすることで、２次元コードスタンプ印影２０を得られる（Ｓｔｅｐ１０１）。
【００２６】
ユーザが携帯電話３０のＣＣＤカメラにより２次元コードスタンプ印影２０を撮像し（Ｓｔｅｐ１０２）、２次元コードスタンプ印影２０をデコードして得られたｗｅｂアドレスに、インターネット４０を介してアクセスする（Ｓｔｅｐ１０３〜１０５）。
【００２７】
アクセスデータ管理部５２は、携帯電話３０からユーザＩＤが送信されてくると、ユーザデータベース５１において該ユーザＩＤに対応するユーザ情報の有無を調べる（Ｓｔｅｐ１０６〜１０７）。
【００２８】
最初のアクセス時には当然ユーザ情報は登録されていないため、ユーザデータ管理部５３によってユーザ情報の登録画面が提示され（Ｓｔｅｐ１０８）、ユーザ情報がユーザデータベース５１にユーザＩＤと関連づけられて登録される（Ｓｔｅｐ１０９）。
【００２９】
ユーザ情報の登録が完了すると、マルチメディアデータ受信部５５からの指令により、携帯電話３０のメールクライアントが起動され（Ｓｔｅｐ１１０）、携帯電話３０により撮像されたマルチメディアデータのファイルが電子メールに添付されてマルチメディアデータ受信部５５宛に送信される（Ｓｔｅｐ１１１）。電子メールを受信したマルチメディアデータ受信部５５は、電子メールにマルチメディアデータが添付されているか判別する（Ｓｔｅｐ１１２）。
【００３０】
マルチメディアデータ管理部５７は、マルチメディアデータが添付されていれば、ユーザＩＤ及びユーザ情報と関連づけてユーザデータベース５１に保存し（Ｓｔｅｐ１１３）、これによってマルチメディア配信のためのｗｅｂサイトが完成する。
【００３１】
図３は、ユーザによりマルチメディアデータサーバシステム５０上に登録されたマルチメディアデータを更新する作業過程を示す。図２の過程とはＳｔｅｐ１０７（２０７）までは同一なので、それ以降について説明する。
【００３２】
Ｓｔｅｐ２０７において、ユーザ情報が登録されていると判別されるので、ユーザデータ管理部５３はトップ画面を表示する（Ｓｔｅｐ２０８）。ユーザは携帯電話３０を操作して、トップ画面からマルチメディアの変更を選択する（Ｓｔｅｐ２０９）。するとパスワード入力画面が提示され（Ｓｔｅｐ２１０）、パスワードが正しければ（Ｓｔｅｐ２１１）、マルチメディアデータ受信部５５が携帯電話３０のメールクライアントを起動させる（Ｓｔｅｐ２１２）。これ以降は図２のＳｔｅｐ１１１以降と同様である。
【００３３】
図４は、図２の過程を経て登録済のユーザのｗｅｂサイトからマルチメディアデータを配信する場合の動作を表すフローチャートである。トップ画面を表示するまでは図３のＳｔｅｐ２０８までと同一の過程なので、それ以降について説明する。
【００３４】
ユーザに限らず、携帯電話３０により２次元データスタンプ印影２０を撮像した者はマルチメディアデータの配信を受けるために、トップ画面においてムービー配信を選択する（Ｓｔｅｐ３０９）。
【００３５】
ムービー配信が選択されると、携帯端末判別部５４は、まずアクセスしている携帯電話３０がマルチメディア再生対応の機種かどうかを判別する（Ｓｔｅｐ３１０）。マルチメディア再生対応であれば、再生条件の判別が行われる（Ｓｔｅｐ３１１）。
【００３６】
次にマルチメディアデータ変換部５６はユーザＩＤに関連づけられたマルチメディアデータをユーザデータベース５１から読み出し（Ｓｔｅｐ３１２）、携帯端末判別部５４の判別した再生条件に適合するかどうか照合する（Ｓｔｅｐ３１３）。本実施の形態においては動画ファイルのビデオフォーマット３ｇｐｐと３ｇｐｐ２との間での照合のみが行われる。適合しない場合には、一方から他方へのフォーマット変換が行われ（Ｓｔｅｐ３１４）、動画ファイルはユーザＩＤと関連づけられてユーザデータベース５１に保存される（Ｓｔｅｐ３１５）。
【００３７】
マルチメディアデータ配信部５８は、アクセスしてきた携帯電話３０に適合する動画ファイルにリンクするＨＴＭＬコードを自動生成し（Ｓｔｅｐ３１６）、携帯電話３０に送信する（Ｓｔｅｐ３１７）。携帯電話３０は送信されてきたＨＴＭＬコードによりマルチメディアデータにアクセスし、マルチメディアデータをダウンロードして配信を受けることができる（Ｓｔｅｐ３１８）。
【００３８】
以上説明したように、本実施の形態に係るマルチメディアデータサーバシステム５０によると、ユーザは２次元コードスタンプ１０を購入して押印し、２次元コードスタンプ印影２０を携帯電話３０により撮像することにより、ユーザ登録、マルチメディアデータの登録及び更新及び配信の各手順を容易に行うことができる。マルチメディアデータサーバシステム５０の使用料は２次元コードスタンプ１０の対価に含めて徴収すれば、ネット上にクレジットカード情報や銀行口座番号などの情報が漏洩して登用されるおそれもない。また２次元コードスタンプ印影２０を撮像することによりマルチメディアデータの配信を受けることができるので、広範囲の人からの頻繁なアクセスを期待することができる。
【００３９】
以上、本発明の実施の形態について説明したが、本発明は上記実施の形態に限定されるものではなく、本発明の要旨の範囲内において、適宜変形実施が可能であることは言うまでもない。
【図面の簡単な説明】
【００４０】
【図１】図１は、本発明に係る２次元コードスタンプを介した動画配信システムの一つの実施の形態を示す図である。
【図２】図２は、図１の２次元コードスタンプを介した動画配信システムにおけるユーザ登録手順を説明するためのフローチャートである。
【図３】図３は、図１の２次元コードスタンプを介した動画配信システムにおけるユーザによる動画データ更新作業の手順を説明するためのフローチャートである。
【図４】図４は、図１の２次元コードスタンプを介した動画配信システムにおける動画データ閲覧方法を説明するためのフローチャートである。
【符号の説明】
【００４１】
１０  ２次元コードスタンプ
２０  ２次元コードスタンプ印影
３０  携帯電話
４０  インターネット
５０  マルチメディアデータサーバシステム
５１  ユーザデータベース
５２  アクセスデータ管理部
５３  ユーザデータ管理部
５４  携帯端末判別部
５５  マルチメディアデータ受信部
５６  マルチメディアデータ変換部
５７  マルチメディアデータ管理部
５８  マルチメディアデータ配信部
【図１】
2007150600.tif 000003
【図２】
2007150600.tif 000004
【図３】
2007150600.tif 000005
【図４】
2007150600.tif 000006